(57)【要約】【課題】  ストレーナのろ過部材で捕獲された細かい砂等の異物をポンプから還流する余水により高圧で洗浄し、効率よく除去することによりろ過部材の目詰まりを防止し、ポンプの吸水能力の低下や故障を防止することができる高圧洗浄装置のストレーナとする。【解決手段】  駆動源２でポンプ１を駆動し発生させた高圧水を、洗浄用ガン６の先端から噴射して洗浄を行う高圧洗浄機のポンプ１に連結する吸水ホース３に接続されると共に、ポンプ１から還流する余水が内部に吐出し、余水により周側のろ過部材１４が洗浄されるストレーナ４において、ストレーナ４の内部に余水をろ過部材１４に向け噴射するノズル２１が、ろ過部材１４の内側周面を回転可能に設けられている。【選択図】  図３ 
2006007201.tif 000002
【特許請求の範囲】
【請求項１】
駆動源でポンプを駆動し発生させた高圧水を、洗浄用ガンの先端から噴射して洗浄を行う高圧洗浄機のポンプに連結する吸水ホースに接続されると共に、ポンプから還流する余水が内部に吐出し、この余水により周側部のろ過部材が洗浄されるストレーナにおいて、ストレーナの内部に余水をろ過部材に向け噴射するノズルが、ろ過部材の内側周面を回転可能に設けられていることを特徴とする高圧洗浄装置のストレーナ。
【請求項２】
ストレーナの上面にストレーナの内部に開口する余水導入口と吸水口が並設され、余水導入口は中央部に設けられ、この余水導入口にストレーナ内に回転可能に設けた中央筒体の中空部が連通すると共に、中央筒体の外周面に前記中空部と噴射口が連通するノズルが突設され、ノズルは余水の反力により回転することを特徴とする請求項１記載の高圧洗浄装置のストレーナ。
【請求項３】
ストレーナの上面にストレーナの内部に開口する余水導入口と吸水口が並設され、吸水口は中央部に設けられ、この吸水口にストレーナ内に設けた内筒体の中空部が連通すると共に、内筒体の下部に周側面に吸水用開口部を有し、外方に広がった大径の台筒部が設けられ、この台筒部上に内筒体と間隔をおいて外側に外筒体が回転可能に設けられると共に、外筒体の外周面に外筒体の中空部と噴射口が連通するノズルが突設され、ノズルは余水の反力により回転し、前記外筒体は上部に上部外方へ向けて広がった傾斜部が形成され、この傾斜部の開口上に、前記余水導入口が配設されていることを特徴とする請求項１記載の高圧洗浄装置のストレーナ。
【請求項４】
ノズルは先端部がろ過部材に接近するよう、ろ過部材側に向け中央部から突設されていることを特徴とする請求項２又は３記載の高圧洗浄装置のストレーナ。
【請求項５】
ノズルは高低差を設けて複数設けられていることを特徴とする請求項２から４のいずれかに記載の高圧洗浄装置のストレーナ。
【発明の詳細な説明】
【技術分野】
【０００１】
本発明は、高圧洗浄機のストレーナのろ過部材が目詰まりして、ポンプの吸水能力の低下や故障の発生を防止できる高圧洗浄装置のストレーナに関するものである。
【背景技術】
【０００２】
近年、工場等の各種設備の清掃用に高圧洗浄機が用いられている。
一般に高圧洗浄機は清水の給水を前提としているため、ストレーナが付設されていても容量が小さいものである。
しかし、洗浄に使用する水は必ずしも清水とは限らず、河川や貯水池或いは湖沼等からの水においては細かい砂等のいろいろな異物が混じっている場合が多いのが現状である。
【０００３】
このため、短時間でストレーナのろ過部材が目詰まりを起こし、ポンプから充分な給水量や圧力が得られなくなり、この時の負圧発生を起因とするポンプの吸水能力の低下や故障が頻繁に発生している。
【０００４】
そこで、上記事実を考慮し、ストレーナのろ過部材で捕獲された異物を除去し、ストレーナの洗浄をポンプから還流する余水をストレーナの内部に吐出して行うポンプ装置及びそのストレーナが特開平１１ー２６４３９９として既に提案されている。
このストレーナは、ストレーナの内部に案内板が固定され、この案内板にポンプからの余水が当たり拡散され、フィルターに誘導される水流となるもので、ろ過部材との距離が大きく離れ、水圧も小さく、洗浄範囲も限られ、効率に問題点を有している。
【特許文献１】特開平１１−２６４３９９
【発明の開示】
【発明が解決しようとする課題】
【０００５】
上記点より本発明は、ストレーナのろ過部材で捕獲された細かい砂等の異物をポンプから還流する余水により高圧で洗浄し、効率良く除去することにより、ろ過部材の目詰まりを防止し、ポンプの吸水能力の低下や故障を防止することができる高圧洗浄装置のストレーナを提供しようとするものである。
【課題を解決するための手段】
【０００６】
上記課題を解決するため請求項１記載の本発明高圧洗浄装置のストレーナは、駆動源でポンプを駆動し発生させた高圧水を、洗浄用ガンの先端から噴射して洗浄を行う高圧洗浄機のポンプに連結する吸水ホースに接続されると共に、ポンプから還流する余水が内部に吐出し、この余水により周側部のろ過部材が洗浄されるストレーナにおいて、ストレーナの内部に余水をろ過部材に向け噴射するノズルが、ろ過部材の内側周面を回転可能に設けられていることを特徴とするものである。
【０００７】
このような構成とすることにより、ノズルから余水が勢いよく噴射すると共に、噴射中はノズルが回転するため、高圧状態にてろ過部材の周側全面を余水で洗浄することが可能となり、周側全面の目詰まりの原因となっている付着した異物の除去を行える。
【０００８】
次に、請求項２記載の本発明高圧洗浄装置のストレーナは、請求項１記載の高圧洗浄装置のストレーナにおいてストレーナの上面にストレーナの内部に開口する余水導入口と吸水口が並設され、余水導入口は中央部に設けられ、この余水導入口にストレーナ内に回転可能に設けた中央筒体の中空部が連通すると共に、中央筒体の外周面に前記中空部と噴射口が連通するノズルが突設され、ノズルは余水の反力により回転することを特徴とするものである。
【０００９】
このような構成とすることにより、余水は中央筒体を通ってノズルからろ過部材に噴射され、簡単な構成でありながら、ろ過部材の周側全面の目詰まりの原因となっている付着した異物の除去を効率良く行う。
又、ノズルは余水の反力により回転するので、別途にノズルを回転する動力源を必要とせず、コストも安価なものとなる。
【００１０】
次に、請求項３記載の本発明高圧洗浄装置のストレーナは請求項１記載の高圧洗浄装置のストレーナにおいてストレーナの上面にストレーナの内部に開口する余水導入口と吸水口が並設され、吸水口は中央部に設けられ、この吸水口にストレーナ内に設けた内筒体の中空部が連通すると共に、内筒体の下部に周側面に吸水用開口部を有し、外方に広がった大径の台筒部が設けられ、この台筒部上に内筒体と間隔をおいて外側に外筒体が回転可能に設けられると共に、外筒体の外周面に外筒体の中空部と噴射口が連通するノズルが突設され、ノズルは余水の反力により回転し、前記外筒体は上部に上部外方へ向けて広がった傾斜部が形成され、この傾斜部の開口上に、前記余水導入口が配設されていることを特徴とするものである。
【００１１】
このような構成とすることにより、吸水は内筒体の下部の吸水用開口部から行われるので、吸水位置が低くなり、水量の有効利用が可能であると共に、水圧により初期吸込みが良好となる。
余水は外筒体の傾斜部から外筒体と内筒体の間の中空部を通ってノズルからろ過部材に噴射され、ろ過部材の周側全面の目詰まりの原因となっている付着した異物の除去を効率良く行なう。
又、ノズルは余水の反力により回転するので請求項２の発明と同様の機能を有する。  
【００１２】
次に、請求項４記載の本発明高圧洗浄装置のストレーナは、請求項２又は３記載の高圧洗浄装置のストレーナにおいて、ノズルは先端部がろ過部材に接近するよう、ろ過部材側に向け中央部から突設されていることを特徴とするものである。
【００１３】
このような構成とすることにより、ろ過部材に至近距離から余水を勢いよく高圧な状態で噴射することができる。
【００１４】
次に、請求項５記載の本発明高圧洗浄装置のストレーナは、請求項２から４のいずれかに記載の高圧洗浄装置のストレーナにおいて、ノズルは高低差を設けて複数設けられていることを特徴とするものである。
【００１５】
このような構成とすることにより、ろ過部材の周側全面を均一にくまなく広範囲に余水を噴射し洗浄できる。
【発明の効果】
【００１６】
請求項１記載の本発明によれば、高圧洗浄機のポンプから還流する余水がノズルから勢いよく高圧で噴射すると共に、噴射中はノズルが回転するため、ろ過部材の周側全面を余水で洗浄することが可能となり、周側全面の目詰まりの原因となっている付着した異物の除去を行える。
これにより、目の細かなろ過部材を採用でき、又、細かい砂等の異物も捕獲することができ、ろ過部材の目詰まりに起因する負圧発生によるポンプの吸水能力の低下や、ポンプ及び駆動源の故障や破損の発生を有効に防止できる。
又、従来のような案内板をストレーナ内に固定したものに比べ、洗浄時の水圧が大きく、洗浄範囲も広範囲に行える効果を有する。
又、頻繁にストレーナを取り出しての洗浄の必要がなく、吸水作業能率の向上を図ることができる効果を有する。
【００１７】
請求項２記載の本発明によれば、余水は中央筒体を通ってノズルからろ過部材に勢い良く噴射され、簡単な構成でありながら周側全面を洗浄できる効果を有する。
又、ノズルは余水の反力により回転するので、別途にノズルを回転する動力源を必要とせずコストも安価なものとなる効果を有する。
【００１８】
請求項３記載の本発明によれば、吸水は内筒体の下部の吸水用開口部から行なわれるので、吸水位置が低くなり、水量の有効利用が可能であると共に、水圧により初期吸込みが良好となる効果を有する。
又、余水は外筒体の傾斜部から外筒体と内筒体の間の中空部を通ってノズルからろ過部材に勢い良く噴射され、周側全面を洗浄できる効果を有する。
又、ノズルは余水の反力により回転するので、請求項２の発明と同様の効果を有する。
【００１９】
請求項４記載の本発明によれば、ろ過部材の周側全面に至近距離から余水を勢いよく高圧な状態で噴射することができ、ろ過部材に付着している異物を効率よく除去できる効果を有する。
【００２０】
請求項５記載の本発明によれば、ろ過部材の周側全面を均一にくまなく広範囲に余水を噴射し洗浄できると共に、ろ過部材に付着している異物を効率よく除去できる効果を有する。
【発明を実施するための最良の形態】
【００２１】
以下、本発明の一実施の形態を添付図面を参照して説明する。
図１は請求項２の本発明高圧洗浄装置のストレーナを使用した装置全体を表した構成図、図２は同上のストレーナの正面図、図３及び図４は同上のストレーナの断面図である。
【００２２】
図１に示されるように、高圧洗浄装置は高圧用のポンプ１と、ポンプ１を駆動するモーター又はエンジン等の駆動源２と、ポンプ１の吸水側に連結する吸水ホース３と、吸水ホース３の先端側の吸込口に接続されたストレーナ４と、高圧水吐出ホース５と、高圧水吐出ホース５の先端に取り付けられた洗浄用ガン６と、余水ホース７を備え、前記余水ホース７の先端側の吐出口はストレーナ４内に接続する構成となっている。
【００２３】
そして、ストレーナ４を河川や貯水池又は予備タンク等に投入してポンプ１を駆動した後、洗浄用ガン６の発射操作でストレーナ４を通過して吸水ホース３から水が吸引され、ポンプ１を経て高圧水吐出ホース５から洗浄用ガン６に水が供給され噴射される。
又、洗浄用ガン６の停止操作で水の噴射が止まり、ポンプ１内の余水量が増加し、ポンプ１から余水が余水ホース７からストレーナ４内に還流し高圧で吐出される。この吐出された余水によりストレーナの周側部のろ過部材１４が洗浄される。
【００２４】
本発明は、このような高圧洗浄装置に使用されるストレーナ４であって、本発明ストレーナ４は円形の底板８上の周端部に円形の下部溝９が形成され、この下部溝９に沿って下部溝９の内側に所定の間隔をおいて側支柱１０が立設され、この側支柱１０の上部に円形の天井板１１がビス１２で固定されている。
【００２５】
天井板１１は周端部を除いて底板８よりも厚く形成され、天井板１１の下面に下部溝９の対向位置に下部溝９と同一の径及び深さの円形の上部溝１３が形成されている。
そして、上部溝１３と下部溝９間に円筒形のろ過部材１４が、その上下の端部を嵌着されると共に、変形を防止するため側支柱１０に接して設けられている。
ろ過部材１４は８０〜１００メッシュのステンレス製金網が好適である。
又、ろ過部材１４はろ過機能を有していれば金網メッシュに限定されるものではなく、布等、他の材質、他の構造によるものでもよい。更に、ストレーナ４の形状も横型、縦型等、形状は問わない。
【００２６】
天井板１１の中央部にストレーナ４の内部に開口する余水導入口１５が設けられると共に、余水導入口１５の側方で、天井板１１に余水導入口１５より大径の吸水口１６がストレーナ４の内部に開口している。
余水導入口１５には余水ホース７の吐出口が接続具（図示せず）等により接続され、吸水口１６には吸水ホース３の吸込口が接続具（図示せず）等により接続される。
【００２７】
又、天井板１１の下面の中央部に円形の上部凹部１７が形成されると共に、底板８の上面で上部凹部１７と対向位置に上部凹部１７と同一の径及び深さの円形の下部凹部１８が形成されている。
そして、上部凹部１７と下部凹部１８間に中央筒体１９が水平方向に回転可能にその両端部が嵌合されている。
【００２８】
中央筒体１９の中空部２０の上端口は余水導入口１５と連通し、口径も略同一となっている。そして、中央筒体１９の外側に中空部２０と連通し、中央筒体１９の周側面から半径方向外方へ伸びる先細の筒状のノズル２１が突設されている。
ノズル２１の先端の噴射口２２は、ろ過部材１４に接近するよう側支柱１０の近傍に位置している。
ノズル２１は中央筒体１９の上下方向に三段に高低差をつけ、かつ周方向に互いに１２０度の間隔をおいて三個水平に放射状に配設され、各ノズル２１の先端付近の側部に回転用の噴出孔２３が設けられている。
この噴出孔２３から加圧された余水が噴出し、加圧された余水の噴流の反力によって、中央筒体１９に回転力を与えるように噴出孔２３は設けられている。
尚、ノズル２１は三個に限定されるものではなく、一個でも或いは三個以上でもよい。
【００２９】
次に、このような構成を有するストレーナを高圧洗浄装置に使用した際の作用について説明する。
先ず、ストレーナ４を河川や貯水池又は予備タンク等に投入してポンプ１を駆動した後、洗浄用ガン６の発射操作をすれば、ストレーナ４の吸水口１６から吸水ホース３を介して吸水された水は、ポンプ１から高圧水吐出ホース５を経て洗浄用ガン６の先端から噴射される。
この状態でストレーナ４の外部の水はろ過部材１４を通過してストレーナ４の内部に入るが、細かい砂等の異物はろ過部材４の外側に捕獲され付着している。
【００３０】
次に、洗浄用ガン６を停止操作すれば、洗浄用ガン６からの水の噴射が止まり、ポンプ１内の余水量が増加し、余水は余水ホース７を経てストレーナ４の余水導入口１５から中央筒体１９の中空部２０内に吐出される。
吐出された余水はノズル２１の先端の噴射口２２からろ過部材１４を通過してストレーナ４の外部へ流出する。
【００３１】
ノズル２１の噴射時は、余水がノズル２１の噴出孔２３からも噴出し、加圧された余水の噴流の反力によって中央筒体１９を回転させるため、この中央筒体１９に放射状でかつ高低差をつけて配設されたノズル２１から噴出された余水は、ろ過部材１４の周側全面に均一にくまなく至近距離から広範囲に噴射し、ろ過部材１４の外側に付着している細かい砂等の異物をストレーナ４の内側から効率よく除去し、ろ過部材１４の目詰まりを防止する。
【００３２】
次に、図５は請求項３の本発明高圧洗浄装置のストレーナの断面図、図６は同上の内筒体の斜視図、図７は同上の外筒体の斜視図であり、図１乃至図４と相当する箇所にはそれと同一符号を付してある。
【００３３】
このストレーナ４は円形の底板８上の周端部に円形の下部溝９が形成され、この下部溝９に沿って下部溝９の内側に所定の間隔をおいて側支柱１０がビス１２で立設固定され、この側支柱１０の上部に円形の天井板１１がビス１２で固定されている。
【００３４】
天井板１１は周端付近が低く形成され、天井板１１の下面に下部溝９の対向位置に下部溝９と同一の径及び深さの円形の上部溝１３が形成されている。
そして、上部溝１３と下部溝９間に円筒形のろ過部材１４が、その上下の端部を嵌着されている。
ろ過部材１４は前同様の材質、構造である。
【００３５】
天井板１１の上面の中央部にストレーナ４の内部に開口する吸水口１６が設けられ、この吸水口１６に連通して天井板１１の裏面に取り付け筒部３０が天井板１１と一体に形成され、取り付け筒部３０の内側に段部３０ａが設けられている。
この取り付け筒部３０に吸水口１６に中空部３１が連通する内筒体３２の上部が嵌合し、段部３０ａに内筒体３２の上端部が突合している。
吸水口１６には前同様に吸水ホース３の吸込口が接続具等により接続される。
【００３６】
内筒体３２は下部に外方に広がった大径の台筒部３３が形成され、この台筒部３３の周側面の下端部に複数の開口部３４が形成されている。台筒部３３は底板８上に設けた凹部３５に嵌合している。
又、台筒部３３は上面が水平で周縁部に起立壁３３ａが形成されている。
【００３７】
台筒部３３上に内筒体３２と間隔をおいて外側に外筒体３６が水平方向に回転可能に載置されている。
外筒体３６は下部が台筒部３３上に安定して載置されるよう外側に９０°屈曲した設置部３６ａが形成されると共に、上部に上部外方へ向けて広がった傾斜部３６ｂが形成されている。この傾斜部３６ｂの開口上の天井板１１の上面にストレーナ４の内部に開口する余水導入口１５が設けられている。余水導入口１５は吸水口１６よりも小径となっている。
又、余水導入口１５には前同様に余水ホース７の吐出口が接続具等により接続される。
【００３８】
外筒体３６の胴部３６ｃに内筒体３２と外筒体３６の間の中空部３７と連通し胴部３６ｃから半径方向外方へ延びる先細の筒状のノズル２１が突設されている。
ノズル２１の配置は前同様である。又、ノズル２１に回転用の噴出孔２３が設けられていることも前同様である。
【００３９】
次に、このような構成を有するストレーナ４の作用は、吸水はストレーナ４の底板８上に設置されている内筒体３２の台筒部３３の吸水用開口部３４から吸水され、内筒体３２の中空部３１から吸水口１６を通り、吸水ホース３を介してポンプ１に吸引される。
ポンプ１からの余水は余水ホース７を介して余水導入口１５から外筒体３６の傾斜部３６ｂを経て外筒体３６の中空部３７内に吐出される。
吐出された余水はノズル２１の先端の噴射口２２から噴出する。
【実施例】
【００４０】
次に、本発明ストレーナを余水清掃を行わない既設のストレーナと比較した実施例を示す。
本発明ストレーナは、ノズルの噴射口２２の口径を５ｍｍとし、回転用の噴出孔２３の口径を３ｍｍとしたが、ストレーナの大小や高低により各寸法を選別する。
ろ過部材１４とノズル２１の噴射口２２との距離は、余水が全面に強く当たる１５ｍｍとした。噴射口の形状は横長ラッパ型が良好であるが、真円形で行っても良好な結果が得られた。
【００４１】
既設ストレーナと本発明ストレーナとの比較
（データーベース  給水濁度  ３０００ＳＳ  塩化ビニール製貯水槽１０００Ｌ容量）
１．既設ストレーナ  エンジン式高圧水洗浄機  給水量２２Ｌ／ｍｉｎ
（１）横型  １００メッシュ
【表１】
2006007201.tif 000003
〇上記時間にて目詰まり使用不能。
〇内部負圧により大きく変形。
（２）縦型両面ストレーナ  ３０メッシュ
【表２】
2006007201.tif 000004
〇上記時間にて両面とも目詰まり使用不能。
【００４２】
２．本発明ストレーナ
（１）横型  １００メッシュ
（余水清掃  １０分給水後３０秒間）
【表３】
2006007201.tif 000005
〇３０分データ計測３０秒余水洗浄する。
〇使用ストレーナ外観に殆ど付着物なし。
【図面の簡単な説明】
【００４３】
【図１】本発明高圧洗浄装置のストレーナを使用した装置全体を表した構成図である。
【図２】請求項２の本発明高圧洗浄装置のストレーナの正面図である。
【図３】図２の縦断正面図である。
【図４】図２の横断平面図である。
【図５】請求項３の本発明高圧洗浄装置のストレーナの断面図である。
【図６】請求項３の本発明高圧洗浄装置のストレーナの内筒体の斜視図である。
【図７】請求項３の本発明高圧洗浄装置のストレーナの外筒体の斜視図である。
【符号の説明】
【００４４】
１    ポンプ
２    駆動源
３    吸水ホース
４    ストレーナ
５    高圧水吐出ホース
６    洗浄用ガン
７    余水ホース
１４  ろ過部材
１５  余水導入口
１６  吸水口
１９  中央筒体
２０  中空部
２１  ノズル
２２  噴射口
２３  噴出孔
３１  中空部
３２  内筒体
３３  台筒部
３４  吸水用開口部
３６  外筒体
【図１】
2006007201.tif 000006
【図２】
2006007201.tif 000007
【図３】
2006007201.tif 000008
【図４】
2006007201.tif 000009
【図５】
2006007201.tif 000010
【図６】
2006007201.tif 000011
【図７】
2006007201.tif 000012